(57)【要約】【課題】用紙を容易に取り除くことができる画像形成装置を提供する。【解決手段】画像形成装置１００は、筐体３０と、振り子ユニット１０と、支持部２２Ｂと、第１回転体２１と、カバー３１とを備える。筐体３０は、開口部３０Ａを有する。支持部２２Ｂは、振り子ユニット１０を振り子運動自在に支持する。カバー３１は、開口部３０Ａを閉塞する閉状態と、開口部３０Ａを開放する開状態との間で遷移自在に筐体３０に対して取り付けられている。振り子ユニット１０は、第２回転体１１と、壁部１２Ｃとを有する。筐体３０、振り子ユニット１０、支持部２２Ｂ、第１回転体２１、及びカバー３１は、カバー３１が閉状態である場合、カバー３１が壁部１２Ｃを押して第２回転体１１を第１回転体２１に圧接させ、カバー３１が開状態である場合、振り子ユニット１０の自重により、第２回転体１１と第１回転体２１とが離間するように構成されている。【選択図】図２
2020112748.tif 000002
【特許請求の範囲】
【請求項１】
用紙に画像を形成する画像形成装置であって、
開口部を有する筐体と、
前記筐体の内部に配置されて前記開口部に対向する振り子ユニットと、
前記振り子ユニットを振り子運動自在に支持する支持部と、
前記筐体の内部に配置されて前記振り子ユニットに対向する第１回転体と、
前記開口部を閉塞する閉状態と、前記開口部を開放する開状態との間で遷移自在に前記筐体に対して取り付けられるカバーと
を備え、
前記振り子ユニットは、
前記第１回転体と共に前記用紙を搬送する第２回転体と、
前記閉状態の前記カバーが当接する壁部と
を有し、
前記筐体、前記振り子ユニット、前記支持部、前記第１回転体、及び前記カバーは、前記カバーが前記閉状態である場合、前記カバーが前記壁部を押して前記第２回転体を前記第１回転体に圧接させ、前記カバーが前記開状態である場合、前記振り子ユニットの自重により、前記第２回転体と前記第１回転体とが離間するように構成されている、画像形成装置。
【請求項２】
前記第２回転体の重量は、前記振り子ユニットを構成する構成部材のうちで最も大きい、請求項１に記載の画像形成装置。
【請求項３】
前記第１回転体は第１ローラーであり、前記第２回転体は第２ローラーであり、
前記第１ローラー及び前記第２ローラーは、定着ローラー対を構成する、請求項１又は請求項２に記載の画像形成装置。
【請求項４】
前記第１ローラーは、熱ローラーであり、
前記第２ローラーは、圧ローラーである、請求項３に記載の画像形成装置。
【請求項５】
前記振り子ユニットは、前記カバーが前記閉状態である場合、前記第２回転体が前記第１回転体に圧接するように前記第２回転体を付勢する付勢部材を有する、請求項１〜請求項４のいずれか１項に記載の画像形成装置。
【請求項６】
前記第１回転体を収容するハウジングを備え、
前記ハウジングは、前記支持部を有し、
前記支持部は、前記カバーに向かって突出している、請求項１〜請求項５のいずれか１項に記載の画像形成装置。
【請求項７】
前記カバーが前記閉状態である場合、前記第１回転体と前記第２回転体との間に挟み込まれた前記用紙が重力方向に略平行な方向に搬送されるように、前記筐体、前記振り子ユニット、前記支持部、前記第１回転体、及び前記カバーは構成されている、請求項１〜請求項６のいずれか１項に記載の画像形成装置。
【発明の詳細な説明】
【技術分野】
【０００１】
本発明は、画像形成装置に関する。
【背景技術】
【０００２】
特許文献１に開示の画像形成装置は、転写材にトナー画像を転写し、トナー画像を転写材に定着させる。特許文献１に開示の画像形成装置は、定着ユニットと、前ドアとを有する。定着ユニットは、加圧ローラーと、加圧ローラーに圧接して従動回転する加熱ローラーとを有する。前ドアは、画像形成装置本体に開閉可能に設けられている。加圧ローラーは、前ドアの開閉動作に連動して遷移する。詳しくは、前ドアが閉状態である場合、加圧ローラーは加熱ローラーに圧接する。前ドアが開状態である場合、加圧ローラーの加熱ローラーへの圧接は解除される。
【先行技術文献】
【特許文献】
【０００３】
【特許文献１】特開２００７−３３６３８号公報
【発明の概要】
【発明が解決しようとする課題】
【０００４】
しかしながら、特許文献１に開示の画像形成装置では、前ドアが開状態である場合、加圧ローラーは加熱ローラーと接触している。そのため、加圧ローラーと加熱ローラーとの間に詰まった用紙を容易に取り除くことができない。
【０００５】
本発明は、上記課題に鑑み、用紙を容易に取り除くことができる画像形成装置を提供することを目的とする。
【課題を解決するための手段】
【０００６】
本発明の画像形成装置は、用紙に画像を形成する。当該画像形成装置は、筐体と、振り子ユニットと、支持部と、第１回転体と、カバーとを備える。前記筐体は、開口部を有する。前記振り子ユニットは、前記筐体の内部に配置されて前記開口部に対向する。前記支持部は、前記振り子ユニットを振り子運動自在に支持する。前記第１回転体は、前記筐体の内部に配置されて前記振り子ユニットに対向する。前記カバーは、前記開口部を閉塞する閉状態と、前記開口部を開放する開状態との間で遷移自在に前記筐体に対して取り付けられている。前記振り子ユニットは、第２回転体と、壁部とを有する。前記第２回転体は、前記第１回転体と共に前記用紙を搬送する。前記壁部は、前記閉状態の前記カバーと当接する。前記筐体、前記振り子ユニット、前記支持部、前記第１回転体、及び前記カバーは、前記カバーが前記閉状態である場合、前記カバーが前記壁部を押して前記第２回転体を前記第１回転体に圧接させ、前記カバーが前記開状態である場合、前記振り子ユニットの自重により、前記第２回転体と前記第１回転体とが離間するように構成されている。
【発明の効果】
【０００７】
本発明の画像形成装置によれば、用紙を容易に取り除くことができる。
【図面の簡単な説明】
【０００８】
【図１】本発明の実施形態に係る画像形成装置の構成を示す図である。
【図２】（ａ）及び（ｂ）は、本発明の実施形態に係る定着装置の構成を示す図である。
【図３】本発明の実施形態に係る定着装置の構成を示す図である。
【図４】（ａ）及び（ｂ）は、本発明の実施形態に係る振り子ユニットの構成を示す図である。
【発明を実施するための形態】
【０００９】
以下、図面を参照して、本発明に係る画像形成装置の実施形態について説明する。なお、図中、同一又は相当部分については同一の参照符号を付して説明を繰り返さない。
【００１０】
図１を参照して、本実施形態に係る画像形成装置１００の構成について説明する。図１は、本実施形態に係る画像形成装置１００の構成を示す図である。
【００１１】
画像形成装置１００は、用紙Ｐに画像を形成する。詳しくは、画像形成装置１００は、原稿を読み取って画像データを生成し、画像データに基づいて印刷物を印刷する。
【００１２】
図１に示すように、画像形成装置１００は、筐体３０を備える。筐体３０は、略直方体形状である。筐体３０は、開口部３０Ａを有する。以下、画像形成装置１００の開口部３０Ａが配置される側を画像形成装置１００の前側とし、その反対側を画像形成装置１００の後側として本実施形態を説明する。また、画像形成装置１００を前側から見たときの右側を画像形成装置１００の右側とし、その反対側を画像形成装置１００の左側として本実施形態を説明する。また、画像形成装置１００の前後方向及び左右方向と直交する方向において、後述する画像読取部４０が配置される側を画像形成装置１００の上側とし、その反対側を画像形成装置１００の下側として本実施形態を説明する。
【００１３】
画像形成装置１００は、カバー３１及び回動ピン３２を更に備える。回動ピン３２は、カバー３１の下部に設けられている。カバー３１は、回動ピン３２によって、閉状態と、開状態との間に遷移可能に筐体３０に対して取り付けられている。閉状態とは、筐体３０の開口部３０Ａをカバー３１が閉塞する状態を示す。開状態は、筐体３０の開口部３０Ａをカバー３１が開放する状態を示す。つまり、開状態とは、筐体３０の開口部３０Ａをカバー３１が閉塞していない状態を示す。このように、カバー３１は、回動ピン３２を中心として、回動可能である。カバー３１は、前側から観て略矩形状である。カバー３１は、平板状であり、カバー３１の第１主面３１Ａ及び第２主面３１Ｂは、平面である。第１主面３１Ａは、画像形成装置１００の内部側の面を示す。第２主面３１Ｂは、カバー３１の第１主面３１Ａとは反対側の面を示す。
【００１４】
画像形成装置１００は、画像読取部４０、搬送部５０、給紙部６０、及び印刷部７０を備える。筐体３０は、その内部に、画像読取部４０、搬送部５０、給紙部６０、及び印刷部７０を収容する。
【００１５】
画像読取部４０は、原稿台に載置された原稿を読み取って、画像データを生成する。画像読取部４０は、例えばスキャナーである。
【００１６】
搬送部５０は、印刷部７０を経由するように、給紙部６０から給紙された用紙Ｐを搬送する。
【００１７】
給紙部６０は、用紙Ｐを１枚ずつ搬送部５０へ給紙する。給紙部６０は、給紙カセット６１及び給紙ローラー群６２を備える。給紙カセット６１は、複数枚の用紙Ｐを収容可能である。給紙ローラー群６２は、給紙カセット６１に収容されている用紙Ｐを１枚ずつ搬送部５０へ給紙する。
【００１８】
印刷部７０は、給紙部６０から給紙された用紙Ｐに画像を形成する。印刷部７０は、露光装置７１、現像装置７２、感光体ドラム７３、転写装置７４、及び定着装置７５を備える。露光装置７１は、画像データに基づいて感光体ドラム７３にレーザー光を照射する。これにより、感光体ドラム７３の表面に静電潜像が形成される。現像装置７２は、感光体ドラム７３にトナーを供給して静電潜像を現像する。この結果、感光体ドラム７３の表面にトナー画像が形成される。転写装置７４は、感光体ドラム７３の表面に形成されたトナー画像を用紙Ｐに転写する。用紙Ｐは、搬送部５０によって定着装置７５へ向けて搬送される。
【００１９】
定着装置７５は、トナー画像が転写された用紙Ｐを加熱及び加圧する。これにより、用紙Ｐのトナー画像は、用紙Ｐに定着する。図１に示すように、定着装置７５は、圧ローラー１１及び熱ローラー２１を備える。圧ローラー１１及び熱ローラー２１は、定着ローラー対を構成する。熱ローラー２１は、トナー画像が転写された用紙Ｐを加熱する。圧ローラー１１は、トナー画像が転写された用紙Ｐを熱ローラー２１とともに加圧する。圧ローラー１１及び熱ローラー２１は、対向して配置されている。本実施形態において、圧ローラー１１と熱ローラー２１とは前後方向に対向する。圧ローラー１１と熱ローラー２１とは共に用紙Ｐを上下方向に沿って搬送する。圧ローラー１１は、第２回転体の一例である。熱ローラー２１は、第１回転体の一例である。定着装置７５の構成の詳細については、図２（ａ）〜図４を参照して後述する。
【００２０】
画像形成装置１００は、制御部を更に備える。制御部は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を含む。制御部は、ＲＯＭに格納された制御プログラムを実行することによって、画像形成装置１００の各部の動作を制御する。
【００２１】
次に、図２（ａ）〜図４（ｂ）を参照して、定着装置７５の構成について更に説明する。図２（ａ）、図２（ｂ）及び図３は、本実施形態に係る定着装置７５の構成を示す図である。詳しくは、図２（ａ）は、第１状態の定着装置７５を示す側面図である。定着装置７５は、カバー３１が閉状態である場合に第１状態となる。図２（ｂ）は、第２状態の定着装置７５を示す側面図である。定着装置７５は、カバー３１が開状態である場合に第２状態となる。図３は、第１状態の定着装置７５を示す上面図である。
【００２２】
図１、図２（ａ）、図２（ｂ）及び図３に示すように、定着装置７５は、筐体３０の内部のうち、開口部３０Ａの近傍に配置されている。
【００２３】
図１、図２（ａ）、図２（ｂ）及び図３に示すように、定着装置７５は、振り子ユニット１０と、固定ユニット２０とを備える。固定ユニット２０は、画像形成装置１００の内部に固定されている。振り子ユニット１０は、固定ユニット２０に支持されている。振り子ユニット１０は、開口部３０Ａに対向している。熱ローラー２１は、振り子ユニット１０に対向している。
【００２４】
次に、図２（ａ）〜図４（ｂ）を参照して、振り子ユニット１０について説明する。図４（ａ）及び図４（ｂ）は、本実施形態に係る振り子ユニット１０の構成を示す図である。詳しくは、図４（ａ）は、振り子ユニット１０を構成する部材の一部を示す斜視図である。図４（ｂ）は、振り子ユニット１０を示す斜視図である。
【００２５】
図２（ａ）〜図４（ｂ）に示すように、振り子ユニット１０は、圧ローラー１１と、支持フレーム１２と、支持軸１３と、コイルバネ１４と、軸受け部材１５とを有する。圧ローラー１１は、軸受け部材１５に回転可能に支持されている。支持軸１３、コイルバネ１４、及び軸受け部材１５は、それぞれ支持フレーム１２に装着されている。コイルバネ１４は、付勢部材の一例である。
【００２６】
圧ローラー１１は、第１軸部１１１と、第１ローラー部１１２とを有する。第１ローラー部１１２は、筒状である。第１ローラー部１１２は、第１軸部１１１の一部を収容する。第１ローラー部１１２は、弾性部材を含む。圧ローラー１１は、カバー３１が閉状態である場合、熱ローラー２１の回転に応じて従動回転する。
【００２７】
支持フレーム１２は、図２（ａ）〜図４（ｂ）中の前後方向から観ると略Ｕ字状である。支持フレーム１２は、ベース部１２Ａと、一対のサイド部１２Ｂと、壁部１２Ｃとを有する（図３参照）。ベース部１２Ａは、板状である。ベース部１２Ａの長手方向は、左右方向である。ベース部１２Ａの短手方向は、前後方向である。一対のサイド部１２Ｂは、ベース部１２Ａの長手方向（左右方向）の両端部にそれぞれ設けられている。壁部１２Ｃは、ベース部１２Ａの短手方向（前後方向）のカバー３１側の端部に設けられている。壁部１２Ｃは、ベース部１２Ａの長手方向（左右方向）に沿って設けられている。
【００２８】
図４（ａ）及び図４（ｂ）に示すように、サイド部１２Ｂは、板状である。サイド部１２Ｂは、切欠部１２Ｂ１と、第１貫通孔１２Ｂ２とを有する。
【００２９】
切欠部１２Ｂ１には、コイルバネ１４及び軸受け部材１５が装着される。図４（ａ）に示すように、切欠部１２Ｂ１は、一対の側縁部１２Ｂ１１と、奥縁部１２Ｂ１２と、突起部１２Ｂ１３とを有する。一対の側縁部１２Ｂ１１は、軸受け部材１５の移動方向を規制する。図４（ａ）に示すように、突起部１２Ｂ１３は、奥縁部１２Ｂ１２の上下方向の中央部に位置する。突起部１２Ｂ１３は、後方向に向かって奥縁部１２Ｂ１２から突出している。図４（ｂ）に示すように、突起部１２Ｂ１３には、コイルバネ１４の一端部が挿通される。
【００３０】
第１貫通孔１２Ｂ２は、支持軸１３を支持する。第１貫通孔１２Ｂ２は、左右方向から観て略丸状である。支持軸１３は、その断面形状が略丸状である。
【００３１】
壁部１２Ｃは、板状である。図２（ａ）及び図３に示すように、カバー３１が閉状態である場合、壁部１２Ｃは、カバー３１の第１主面３１Ａと当接する。壁部１２Ｃのカバー３１側の面は、カバー３１の第１主面３１Ａと同様に平面である。
【００３２】
コイルバネ１４は、カバー３１が閉状態である場合、圧ローラー１１が熱ローラー２１に圧接するように付勢する。具体的に、コイルバネ１４は、カバー３１が閉状態である場合、圧ローラー１１を後方向に向けて付勢する。言い換えると、コイルバネ１４は、画像形成装置１００が用紙Ｐに画像を形成している間、圧ローラー１１と熱ローラー２１との間に所望の押圧力が掛かるように、圧ローラー１１を付勢する。図４（ｂ）に示すように、コイルバネ１４は、支持フレーム１２と、軸受け部材１５との間に配置される。コイルバネ１４の一端部は、支持フレーム１２の突起部１２Ｂ１３に装着される。コイルバネ１４の他端部は、軸受け部材１５の後述するバネ座１５Ｃに装着される。
【００３３】
軸受け部材１５は、一対の側縁部１２Ｂ１１に沿って遷移可能に切欠部１２Ｂ１に装着されている。そのため、軸受け部材１５は、圧ローラー１１を遷移可能にする。軸受け部材１５は、略平板状である。図４（ａ）に示すように、軸受け部材１５は、第２貫通孔１５Ａと、ガイド溝１５Ｂと、バネ座１５Ｃとを有する。第２貫通孔１５Ａは、圧ローラー１１を支持する。第２貫通孔１５Ａには、圧ローラー１１の第１軸部１１１が挿入される。図４（ａ）に示すように、ガイド溝１５Ｂは、軸受け部材１５の上下方向の両端部にそれぞれに設けられている。ガイド溝１５Ｂの溝幅は、支持フレーム１２の側縁部１２Ｂ１１が挿入可能で、かつ軸受け部材１５が遷移可能なサイズである。バネ座１５Ｃは、コイルバネ１４の他端部に挿通される。
【００３４】
次に、図２（ａ）〜図３を参照して、固定ユニット２０について説明する。固定ユニット２０は、熱ローラー２１と、ハウジング２２とを有する。熱ローラー２１は、ハウジング２２に回転可能に取り付けられている。
【００３５】
熱ローラー２１は、第２軸部２１１と、第２ローラー部２１２と、熱源とを有する。第２軸部２１１は、第２ローラー部２１２の長手方向（左右方向）の両端部に設けられている（図３参照）。第２ローラー部２１２は、例えば、金属を含む。熱源は、第２ローラー部２１２の外周温度を定着処理可能な定着温度にする。熱源は、第２ローラー部２１２の内部に収容されている。熱源は、例えば、ハロゲンヒーター、又はセラミックヒーターを含む。熱ローラー２１は、伝達ギア部を更に有する。画像形成装置１００は、駆動源を更に備える。伝達ギア部は、駆動源の動力を熱ローラー２１に伝達する。その結果、駆動源の動力によって、熱ローラー２１は回転駆動する。駆動源は、例えば、モーターである。
【００３６】
ハウジング２２は、熱ローラー２１を収納する。ハウジング２２は、本体部２２Ａと、支持部２２Ｂとを有する。本体部２２Ａは、熱ローラー２１を収納する。支持部２２Ｂは、振り子ユニット１０を前後方向に振り子運動自在に支持する。支持部２２Ｂは、ハウジング２２の上部に位置し、カバー３１に向かって、本体部２２Ａから突出している。支持部２２Ｂは、支持溝２２Ｂ１を有する。支持溝２２Ｂ１は、カバー３１が閉状態である場合、圧ローラー１１の第１軸部１１１の位置よりも前側に位置する。支持溝２２Ｂ１は、振り子ユニット１０の支持軸１３を回転可能に支持する。図２（ａ）及び図２（ｂ）に示すように、支持溝２２Ｂ１の形状は、側面視略Ｕ字状である。
【００３７】
このように、固定ユニット２０の支持溝２２Ｂ１が振り子ユニット１０の支持軸１３を支持することにより、振り子ユニット１０は、支持軸１３を支点として固定ユニット２０に対して振り子運動可能である。
【００３８】
また、圧ローラー１１の重量は、振り子ユニット１０を構成する構成部材のうちで最も大きい。換言すると、振り子ユニット１０の重心は第１軸部１１１にある。そのため、振り子ユニット１０に外力が作用しない状態において、支持軸１３と第１軸部１１１とを結ぶ直線ＸＸ（図２（ｂ））は、上下方向と平行になる。圧ローラー１１及び熱ローラー２１は、振り子ユニット１０に外力が作用しない状態において、第１ローラー部１１２と第２ローラー部２１２とが離間するように構成されている。
【００３９】
図２（ａ）に示すように、カバー３１が閉状態である場合、カバー３１が壁部１２Ｃを押して圧ローラー１１を熱ローラー２１に圧接させる。この際、図２（ａ）に示すように、コイルバネ１４の付勢力は、圧ローラー１１が熱ローラー２１に接触することに応じて圧ローラー１１に掛かる前方向への外力Ｆに対して対抗している。また、熱ローラー２１と圧ローラー１１との間に挟み込まれた用紙Ｐは、上下方向に略平行な方向に搬送される。
【００４０】
図２（ｂ）に示すように、カバー３１が開状態である場合、カバー３１は壁部１２Ｃからの押圧から解放される。その結果、振り子ユニット１０の自重により、圧ローラー１１と熱ローラー２１とは離間する。この際、図２（ｂ）に示すように、コイルバネ１４は、伸び切った状態となる。
【００４１】
以上、図１〜図４（ｂ）を参照して説明したように、本実施形態では、筐体３０、振り子ユニット１０、支持部２２Ｂ、熱ローラー２１、及びカバー３１は、カバー３１が閉状態である場合、カバー３１が壁部１２Ｃを押して圧ローラー１１を熱ローラー２１に圧接させるように構成されている。また、筐体３０、振り子ユニット１０、支持部２２Ｂ、熱ローラー２１、及びカバー３１は、カバー３１が開状態である場合、振り子ユニット１０の自重により、圧ローラー１１と熱ローラー２１とが離間するように構成されている。そのため、画像形成装置１００が用紙Ｐに画像を形成している間に、圧ローラー１１と熱ローラー２１との間に紙詰まり（ジャム）が発生した場合、カバー３１を開状態とするだけで、圧ローラー１１と熱ローラー２１とを離間させることができる。つまり、カバー３１を開けると同時に、圧ローラー１１の熱ローラー２１への押圧は解除される。その結果、圧ローラー１１及び熱ローラー２１の間に詰まった用紙Ｐをユーザーは容易に取り除くことができる。
【００４２】
本実施形態では、圧ローラー１１の重量は、振り子ユニット１０を構成する構成部材のうちで最も大きい。これにより、カバー３１が開状態である場合、圧ローラー１１は、熱ローラー２１から確実に離間する。
【００４３】
本実施形態では、振り子ユニット１０は、コイルバネ１４を有する。これにより、カバー３１が閉状態である場合、圧ローラー１１が熱ローラー２１に確実に接触する。また、振り子ユニット１０は、コイルバネ１４を有することにより、圧ローラー１１の熱ローラー２１への押圧力を調整できる。
【００４４】
以上、図面（図１〜図４（ｂ））を参照しながら本発明の実施形態を説明した。但し、本発明は、上記の実施形態に限られるものではなく、その要旨を逸脱しない範囲で種々の態様において実施することが可能である（例えば、下記に示す（１）〜（１０））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００４５】
（１）図１〜図４（ｂ）を参照して説明したように、本発明の実施形態では、第１回転体として熱ローラー２１を用いたが、本発明はこれに限定されない。例えば、第１回転体は、定着ベルトのような回転部材であってもよい。
【００４６】
（２）図１〜図４（ｂ）を参照して説明したように、本発明の実施形態では、圧ローラー１１の重量は、振り子ユニット１０を構成する構成部材のうちで最も大きいとしたが、本発明はこれに限定されない。例えば、圧ローラー１１の重量は、振り子ユニット１０を構成する構成部材のうちで最も大きくなくてもよい。
【００４７】
（３）図１〜図４（ｂ）を参照して説明したように、本発明の実施形態では、第１ローラー及び第２ローラーは定着ローラー対としたが、本発明はこれに限定されない。例えば、第１ローラー及び第２ローラーは、用紙Ｐを挟持して搬送する搬送ローラー対であってもよい。第１ローラー及び第２ローラーが搬送ローラー対である場合、搬送ローラー対の間に詰まった用紙Ｐを容易に取り除くことができる。
【００４８】
（４）図１〜図４（ｂ）を参照して説明したように、本発明の実施形態では、第１ローラーとして熱ローラー２１を用い、第２ローラーとして圧ローラー１１を用いたが、本発明はこれに限定されない。例えば、第１ローラーとして圧ローラー１１を用い、第２ローラーとして熱ローラー２１を用いてもよい。
【００４９】
（５）図１〜図４（ｂ）を参照して説明したように、本発明の実施形態では、振り子ユニット１０はコイルバネ１４を有するが本発明はこれに限定されない。例えば、振り子ユニット１０はコイルバネ１４を有しなくてもよい。また、本発明の実施形態では、付勢部材としてコイルバネ１４を用いたが本発明はこれに限定されない。例えば、付勢部材は、金属板バネ、トーションバネを含む。
【００５０】
（６）図１〜図４（ｂ）を参照して説明したように、本発明の実施形態では、定着装置７５は、ハウジング２２を有するが、本発明はこれに限定されない。例えば、定着装置７５は、ハウジング２２を有しなくてもよい。また、本発明の実施形態では、ハウジング２２は支持部２２Ｂを有するが、本発明はこれに限定されない。例えば、ハウジング２２は支持部２２Ｂを有しなくてもよい。
【００５１】
（７）図１〜図４（ｂ）を参照して説明したように、本発明の実施形態では、カバー３１が閉状態である場合、熱ローラー２１と圧ローラー１１との間に挟み込まれた用紙Ｐが重力方向に略平行な方向に搬送されるように、筐体３０、振り子ユニット１０、支持部２２Ｂ、熱ローラー２１、及びカバー３１は構成されているが、本発明はこれに限定されない。例えば、熱ローラー２１と圧ローラー１１との間に挟み込まれた用紙Ｐが重力方向に略平行な方向ではない方向に搬送されるように、筐体３０、振り子ユニット１０、支持部２２Ｂ、熱ローラー２１、及びカバー３１は構成されていてもよい。
【００５２】
（８）図１〜図４（ｂ）を参照して説明したように、本発明の実施形態では、定着装置７５は、固定ユニット２０の支持溝２２Ｂ１が振り子ユニット１０の支持軸１３を支持することにより構成されているが、本発明はこれに限定されない。例えば、固定ユニット２０が支持軸１３を有し、振り子ユニット１０が引っ掛け溝を有し、固定ユニット２０の支持軸１３が振り子ユニット１０の引っ掛け溝を支持することにより定着装置７５が構成されていてもよい。
【００５３】
（９）図１〜図４（ｂ）を参照して説明したように、本発明の実施形態では、壁部１２Ｃのカバー３１側の面は平面であるが、本発明はこれに限定されない。壁部１２Ｃのカバー３１側の面は、カバー３１が閉状態である場合にカバー３１の第１主面３１Ａと当接する形状であればよい。
【００５４】
（１０）図１〜図４（ｂ）を参照して説明したように、本発明の実施形態では、ハウジング２２が支持部２２Ｂを有したが、本発明はこれに限定されない。例えば、筐体３０が支持部２２Ｂを有していてもよい。
【産業上の利用可能性】
【００５５】
本発明は、例えば、画像形成装置の分野に有用である。
【符号の説明】
【００５６】
１００    画像形成装置
１０    振り子ユニット
１１    圧ローラー
１２Ｃ  壁部
２１    熱ローラー
２２Ｂ  支持部
３０    筐体
３０Ａ  開口部
３１    カバー
Ｐ      用紙
２    情報処理装置
３    画像形成装置
２１  通信部
２３  制御部
【図１】
2020112748.tif 000003
【図２】
2020112748.tif 000004
【図３】
2020112748.tif 000005
【図４】
2020112748.tif 000006